(57)【要約】      （修正有）【課題】和服着用時に防風、防寒その他に使用することができるフード付き和服を提供する。【解決手段】着物１の襟２に固定した面ファスナー４にフード３の下部に固定した面ファスナー５を当接し、フード３を取り付ける。前記フード３の後部下方に面ファスナー６を、着物の背後に固定した面ファスナー７に当接して取り付ければ、フードを着物１の背部１ａに附着させることができる。さらに、着物１へフード３の一部を縫着固定しても良い。【選択図】図１
0003154257.tif 000002
【実用新案登録請求の範囲】
【請求項１】
和服の襟又は襟付近へ、フードの一部を取り付けたことを特徴とするフード付き和服。
【請求項２】
和服の襟付近へ、フードの一部を取り付け、フード不使用時は和服の背中の内側又は外側へ装着したことを特徴とするフード付き和服。
【請求項３】
和服の襟付近へフードの一部を取り付けるようにした和服であって、前記フードは、異色フードの数枚を組み合わせたことを特徴とするフード付き和服。
【請求項４】
和服の襟付近へフードの一部を取り付けるようにした和服であって、取り付けに際し面ファスナーを使用したことを特徴とするフード付き和服。
【請求項５】
和服の襟付近へフードの一部を取り付けると共に、前記フードへポケットを取り付けたことを特徴とするフード付き和服。
【考案の詳細な説明】
【技術分野】
【０００１】
この考案は、着物、甚平、浴衣などの和服の襟部へ、フードを取り付けたフード付き和服に関する。
【背景技術】
【０００２】
従来レインコート又は洋服の首襟部にフードを取り付けた考案が知られている。
【先行技術文献】
【特許文献】
【０００３】
【特許文献１】実開平６−５９４０９号公報
【特許文献２】実開昭６４−４５２４号公報
【特許文献３】実用新案登録第３０１３１７９０号公報
【考案の概要】
【考案が解決しようとする課題】
【０００４】
従来洋服の衿の前当部にフードの下縁を、ファスナーを介して取り付けたフード付き洋服の提案があるが（特許文献１）、このものは、特にフードを取り外した際の防風、防寒性を確保したものである。
【０００５】
また袖付き万能頭布として、頭布とケープと袖を合体した考案であるが（特許文献２）、特殊性がある反面、汎用性に欠ける問題点があった。
【０００６】
またフードと上衣との取り付け構造に工夫をこらした考案の提案があって、首回りの衿部に工夫を加えた考案であるが、風合いに関し和服とは著しく異なることが判る（特許文献３）。
【課題を解決するための手段】
【０００７】
この考案は、和服にフードを取り付けることを基本とし、フードの大きさ、形状又は色彩を可変とすることによって目的を達成するようにしたものである。例えば、和服と同一生地を用いて目立たなくしたり、或いは派手な色彩（例えば黄色、赤色など）を用い、表裏異色を用いて気分転換を図り、又は遠方にあっても識別しうるようにしたり、歩行中、他人からの衝突を回避する為の色彩表示（老人、特に病人）を採用することが出来る。
【０００８】
この考案におけるフードは、防風、防寒はもとより、ファッション、認識票その他の目的に用いることができる。従って凡ゆる和服について、フードを多種多用に用意し、好みに応じて採用し、自由に選定できるようにする。
【０００９】
フードの取り付けについては、縫着固定はもとより、面ファスナー、紐又はボタンを利用して着脱自在にすることもできる。また７枚セットにして、色彩別とし、７曜フード（浴衣、普段着用）として気分転換を図ることもできる。
【考案の効果】
【００１０】
この考案によれば、和服にフードを取り付けることにより、防風、防寒に有効利用することはもとより、多様のファッションを実現し、更には彷徨する病人又は身体不自由の病人の目印に出来る効果がある。また大型フードを用いることにより、日除けに用い、或いは背負う子との供用フードとすることもできる。
【図面の簡単な説明】
【００１１】
【図１】（ａ）この考案の実施例（着物）の使用状態の正面図、（ｂ）同じくフードの説明図、（ｃ）同じくフードの取り付けを示す側面図、（ｄ）同じく他の実施例（甚平）の使用状態の正面図、（ｅ）同じくフードの説明図、（ｆ）同じく一部断面図
【図２】（ａ）同じく他の実施例の上衣の正面図、（ｂ）同じく上下衣の正面図、（ｃ）同じくフードの一部を破切した拡大側面図
【図３】（ａ）同じく他の実施例の正面図、（ｂ）同じくフードの取り付けを示す一部拡大斜視図
【図４】（ａ）同じくフード布の実施例の正面図、（ｂ）同じく平面図、（ｃ）同じく展開図
【図５】同じく襟部へフードを固定する例示分解図
【図６】（ａ）同じく大フードの使用例を示す図、（ｂ）同じく他の使用例を示す図
【図７】（ａ）同じくフードの実施例の拡大斜視図、（ｂ）同じく他の実施例の拡大斜視図
【考案を実施するための形態】
【００１２】
この考案は、着物の襟部にフードの一部を取り付け、不使用時にはフードを着物の内側に入れ、又は背部へ扁平に付着できるようにしたものでる。またフード生地を着物の生地と同一にし、又は異色にすることができる。
【００１３】
前記のように、フードを防風、又は防寒以外の目的にも役立つことができるようにしたものである。従って、従来知られているフードの効用を保有することは勿論、新しい効用を十分発揮できるようにしたもので和服用として有用なフードを提供しようとするものである。
【実施例１】
【００１４】
この考案の実施例を図１に基づいて説明すると、着物１の襟２に固定した面ファスナー４にフード３の下部に固定した面ファスナー５を当接し、フード３を取り付ける。前記フード３の後部下方に面ファスナー６を、着物の背後に固定した面ファスナー７に当接して取り付ければ、図１（ｃ）、（ｆ）のように、フードを着物１の背部１ａに附着させることができる。
【００１５】
前記実施例は、着物１とフード３とを着脱自在としたフード付き着物９を示すものであるが、着物１へフード３の一部を縫着固定することもできる。夫々一長一短であって、何れでも採用することができる。
【００１６】
また図１（ｄ）は甚平８へ、フード３を取り付けたフード付き甚平１０を示すもので、この場合にも面ファスナー４、５を用いる場合と、縫着する場合と自由に選択することができる。前記実施例の場合にも、フード３を使用しない場合には、フード３を取り外すか、図１（ｆ）のように面ファスナー４，５，６，７を用いて付着させる場合もある。
【００１７】
前記実施例においては、着物１又は甚平８へフード３を着脱自在に取り付けたので、着物又は甚平の着用時にフードを選定することができる。例えばフードを７色（７種類）にしておけば七曜フードとしてそれぞれの曜日に着用することができる。またフードを背中に付着させておけば新しいファッションとすることもできる（図１（ｆ））。
【実施例２】
【００１８】
この考案の他の実施例を図２に基づいて説明すると、着物１の襟２に固定した面ファスナー４に、フード３の下部に固定した面ファスナー６を当接して、フード３を固定する（実施例１と同じ）。前記実施例の着物は、上下（上衣１ａと下衣１ｂ）に別れているが、フード３には関係ない。このような着物にも付けることができる。
【００１９】
前記フード３について、表裏２枚の布（３ａ、３ｂ）を使用し、色彩（例えば緑色と黄色）その他材質を変えれば好みに応じ別外観（色彩）のフードとして使用することができる。
【実施例３】
【００２０】
この考案の他の実施例を図３に基づいて説明すると、着物１の内側の襟下に固定した面ファスナーへ、フード３に固定した面ファスナーを当接してフード３を固定する。この場合には着物１の内側（背中に当たる部分）へ当接することになる。前記において、フードを使用するには、図３（ｂ）中矢示１１のように取り出し、成形して通常のように使用する。但し襟付け部については異物感がないように工夫する必要がある（例えばフード付着物を襟の内側とする）。
【００２１】
前記実施例は、フードを着物の内側に付けたものである。例えばフード３を展開状態で付着させ、使用時に組み立てることができる。
【００２２】
この考案において、図５中襟２に面ファスナー４を所定間隔で付着し、その上に襟２の覆布１３を付着し、フード３を取り付ける時には、前記覆布１３を矢示２２のように取り除いてフード３を矢示２３のように取り付けるようにしたものである。
【００２３】
次にこの考案の使用方法において、大フード１４は、例えば、図６（ａ）のように子供１５と親１６を同一フード内に入れるようにすることもできる。また図６（ｂ）のようにパラソル１７の下において、頭部用のフード１８として使用することもできる。要するに使用形態については、夫々の状態に対応させることになる。
【実施例４】
【００２４】
この考案の他の実施例を図４に基づいて説明すると、方形のフード用布１２の両側を布１２ａ、１２ｂを所定幅折り曲げ、使用の祭に折り曲げた布１２ａ、１２ｂを矢示１９，２０のように拡げて、大きいフードを形成する。簡単の為に方形布を用いたが、フード作成布の外形とする。図中２１．２１は面ファスナーである。
【００２５】
前記のように一部展開した状態にして着物に付着すればフード付着の異物感をなくすことができる。
【実施例５】
【００２６】
この考案の他の実施例を図７に基づいて説明すると、フード３の一側面にポケット２４を取り付ける。このポケットは、ファッション用（例えば花２５を挿し）、キャンペーン用（例えばパンフレット２６を入れ）又は位置を知らせる発信器を入れるなどに用いる。すなわち小物入れとして用いることができる。
【００２７】
前記ポケット２４は、縫着し、又は平面ファスナーを介して着脱自在とすることもできる。
【符号の説明】
【００２８】
１  着物
２  襟
３  フード
４  面ファスナー
５  面ファスナー
６  面ファスナー
【図１】
0003154257.tif 000003
【図２】
0003154257.tif 000004
【図３】
0003154257.tif 000005
【図４】
0003154257.tif 000006
【図５】
0003154257.tif 000007
【図６】
0003154257.tif 000008
【図７】
0003154257.tif 000009
【手続補正書】
【提出日】平成21年7月31日(2009.7.31)
【手続補正１】
【補正対象書類名】実用新案登録請求の範囲
【補正対象項目名】全文
【補正方法】変更
【補正の内容】
【実用新案登録請求の範囲】
【請求項１】
和服の襟又は襟付近へ、フードの一部を取り付けたことを特徴とするフード付き和服。
【請求項２】
フード使用時は和服の襟付近へ、フードの一部を取り付け、フード不使用時は和服の背中の内側又は外側へフードの一部を取り付けたことを特徴とするフード付き和服。
【請求項３】
和服の襟付近へ１枚のフードの一部を取り付けるようにした和服であって、前記フードは、異色フードの数枚を一セットとして組み合わせたことを特徴とするフード付き和服。
【請求項４】
和服の襟付近へフードの一部を取り付けた和服であって、取り付け部に面ファスナーを介装したことを特徴とするフード付き和服。
【請求項５】
和服の襟付近へフードの一部を取り付けると共に、前記フードへポケットを取り付けたことを特徴とするフード付き和服。